(57)【特許請求の範囲】
【請求項１】
射出スクリュ軸（１０）と平行に設けられたタイバー（１８）に移動プレート（１６）が摺動自在に取付けられており、
移動プレート（１６）には、一方の側に射出スクリュ軸（１０）が取付られ、他方の側にはボールネジ軸（２０）に螺合されたボールネジナット（２２）が射出スクリュ軸（１０）と平行に取付られており、移動プレート（１６）に射出スクリュ軸（１０）を回転駆動する回転駆動手段（１２、１４）が設けられており、ボールネジナット（２２）とボールネジ軸（２０）の組み合わせによりボールネジ軸（２０）の回転運動を直線運動に変換して移動プレート（１６）を射出スクリュ軸（１０）の軸方向に移動させる射出成形機の射出装置において、
移動プレート（１６）の下部に、タイバー（１８）の軸方向と平行に移動するリニアガイド（３８）が設けられており、リニアガイド（３８）の上部には、リニアガイド（３８）に対して摺動可能なハウジング（３４）が設けられており、
移動プレート（１６）の下部とリニアガイド（３８）との間に、移動プレート（１６）を昇降可能な高さ調整機構（４２）が設けられており、
高さ調整機構（４２）は、上部が移動プレート（１６）の下部に取付けられるとともに下面の高さ位置が傾斜している固定部材（４４）と、上面が固定部材（４４）の下面と当接しているとともに、固定部材（４４）の傾斜方向と同方向に傾斜しており、下部がハウジング（３４）の上部に取付けられ、水平方向に移動可能な移動部材（４６）と、移動部材（４６）を移動させることにより固定部材（４４）の高さ位置の調整を行う調整手段（４８）とからなるようにしたことを特徴とする射出成形機の射出装置。
【請求項２】
複数のリニアガイド（３８）又は／及び高さ調整機構（４２）が設けられていることを特徴とする請求項１記載の射出成形機の射出装置。
【発明の詳細な説明】
【０００１】
【発明の属する技術分野】
本発明は、射出機構にボールネジを用いた射出成形機の射出装置に関するものである。
【０００２】
【従来の技術】
従来の射出成形機の射出装置としては、図３に示されるものがある。
これに示されるものは、移動プレート１６が、射出スクリュ軸１０と平行に設けられたタイバー１８に摺動自在に取付けられている。移動プレート１６の一方の側に射出スクリュ軸１０が取り付られ、他方の側にはボールネジ軸２０に螺合されたボールネジナット２２が射出スクリュ軸１０と平行に取付られている。さらに、移動プレート１６には、射出スクリュ軸１０を回転駆動する回転駆動手段である駆動モータ１２及びベルトプーリ１４が設けられている。
ボールネジナット２２とボールネジ軸２０の組み合わせによりボールネジ軸２０の回転運動を直線運動に変換して移動プレート１６を射出スクリュ軸１０の軸方向に移動させる。
ボールネジ軸２０の一端は、ボールネジ軸２０を回転駆動可能な駆動モータ２４及びベルトプーリ２６が設けられている第１固定プレート２８に支持されている。第１固定プレート２８にはタイバー１８の一端が取付けられており、タイバー１８の他端は第２固定プレート３０に取付けられている。第２固定プレート３０には射出スクリュ軸１０の一端が挿入されるシリンダ３２が射出スクリュ軸１０と同心に取付けられている。
【０００３】
次に動作について説明する。射出工程時は、駆動モータ２４が回転し、この回転がベルトプーリ２６を介してボールネジ軸２０に伝達される。ボールネジ軸２０の回転運動はボールネジナット２２に伝達されるが、ボールネジナット２２は移動プレート１６に取付けられて回転運動が拘束されているため、ボールネジナット２２、移動プレート１６及び射出スクリュ軸１０がタイバー１８に案内されて直線運動、すなわち図中左方向に移動する。これにより、射出スクリュ軸１０がシリンダ３２内に移動していき、射出が行われる。また、可塑化やサックバック工程でも移動方向は逆であるが、射出工程と同様の動きとなる。
【０００４】
【発明が解決しようとする課題】
しかしながら、上記従来の射出成形機の射出装置では、移動プレート１６が第１の固定プレート２８、第２の固定プレート３０間に掛け渡されたタイバー１８に支持されているのみであり、移動プレート１６の底部が接地されておらず、かつ移動プレート１６には、可塑化用駆動モータ１２及びベルトプーリ１４が取り付けられているため、移動プレート１６、可塑化用駆動モータ１２及びベルトプーリ１４は宙に浮いた状態であり、これらの自重は全てタイバー１８で受けることとなる。このため、図４で示されるように、前記部材の自重によるタイバー１８のたわみ量Ｙだけ移動プレート１６が下方へ芯ずれを生じる。移動プレート１６が芯ずれを生じるとこれに結合されている射出スクリュ軸１０やボールネジナット２２も芯ずれや傾きを生じるため、射出スクリュ軸１０によるシリンダ３２内面のかじりやボールネジナット２２及びボールネジ軸２０の寿命低下を誘発する恐れがある。
本発明は、このような課題を解決するためのものであり、移動プレートのたわみを防止し、移動プレートが芯ずれすることなくタイバー上を移動することができる射出成形機の射出装置を提供することを目的とする。
【０００５】
【課題を解決するための手段】
前述した目的を達成するために、本発明のうちで請求項１記載の発明では、射出スクリュ軸（１０）と平行に設けられたタイバー（１８）に移動プレート（１６）が摺動自在に取付けられており、
移動プレート（１６）には、一方の側に射出スクリュ軸（１０）が取付られ、他方の側にはボールネジ軸（２０）に螺合されたボールネジナット（２２）が射出スクリュ軸（１０）と平行に取付られており、移動プレート（１６）に射出スクリュ軸（１０）を回転駆動する回転駆動手段（１２、１４）が設けられており、ボールネジナット（２２）とボールネジ軸（２０）の組み合わせによりボールネジ軸（２０）の回転運動を直線運動に変換して移動プレート（１６）を射出スクリュ軸（１０）の軸方向に移動させる射出成形機の射出装置において、
移動プレート（１６）の下部に、タイバー（１８）の軸方向と平行に移動するリニアガイド（３８）が設けられており、リニアガイド（３８）の上部には、リニアガイド（３８）に対して摺動可能なハウジング（３４）が設けられており、
移動プレート（１６）の下部とリニアガイド（３８）との間に、移動プレート（１６）を昇降可能な高さ調整機構（４２）が設けられており、
高さ調整機構（４２）は、上部が移動プレート（１６）の下部に取付けられるとともに下面の高さ位置が傾斜している固定部材（４４）と、上面が固定部材（４４）の下面と当接しているとともに、固定部材（４４）の傾斜方向と同方向に傾斜しており、下部がハウジング（３４）の上部に取付けられ、水平方向に移動可能な移動部材（４６）と、移動部材（４６）を移動させることにより固定部材（４４）の高さ位置の調整を行う調整手段（４８）とからなるようにしたことを特徴とする。ここで、回転駆動手段（１２、１４）は、駆動モータとベルトプーリである。
【０００６】
また、本発明のうち請求項２記載の発明では、請求項１記載の発明において、複数のリニアガイド（３８）又は／及び高さ調整機構（４２）が設けられていることを特徴とする。
【０００７】
なお、上記かっこ内の符号は、後述する実施の形態の対応する部材を示す。
【０００８】
【発明の実施の形態】
以下に、本発明の実施の形態を図により説明する。
【０００９】
図１は、本発明の第１の実施の形態である射出成形機の射出装置の一部を示す側面図である。なお、従来技術で説明した部分と重複する部分に関しては説明を省略するとともに、各部材に関しては同じ符号を使用する。
【００１０】
移動プレート１６の下部にはリニアガイド３８が設けられており、リニアガイド３８は、移動プレート１６の下部に取付けられるハウジング３４と、図示してない転動自在なボールを介してハウジング３４の移動を案内するレール３６とから構成されている。レール３６は、タイバー１８の軸方向と平行に伸びるようにベース４０に固定されており、これにより、ハウジング３４をタイバー１８の軸方向に移動するように案内する。リニアガイド３８は、移動プレート１６の中心が機械芯であるシリンダ３２の軸心と同じの高さ位置になるような大きさのものを使用する。
【００１１】
次に動作について説明する。駆動モータ２４が駆動し、この回転がベルトプーリ２６を介してボールネジ軸２０に伝達され、ボールネジナット２２、移動プレート１６及び射出スクリュ軸１０がタイバー１８に案内されて直線運動する。この際、ハウジング３４が移動プレート１６と一体にレール３６上を移動するため、移動プレート１６は移動の際に、これの下部がリニアガイド３８によって支えられることになり、移動プレート１６の下方への移動が規制される。これにより、移動プレート１６はシリンダ３２の軸心との同心を維持した状態で直線運動を行うことができるので、射出スクリュ軸１０及びボールネジナット２２もシリンダ３２の軸心と同心又は平行を維持した状態で直線運動が行われる。
【００１２】
次に、図２に第２の実施の形態を示す。
【００１３】
これは、第１の実施の形態のリニアガイド３８のハウジング３４を移動プレート１６の左右中心の移動方向前後に２カ所設け（移動プレート１６の大きさや形状に応じてレール３６とハウジング３４をそれぞれ１カ所としても良い）、それぞれのハウジング３４と移動プレート１６との間に移動プレート１６を昇降可能な高さ調整機構４２を設けたものである。
高さ調整機構４２は、上部が移動プレート１６の下部に取付けられるとともに、下面の高さ位置が、移動プレート１６の移動方向（図中、左右方向）に傾斜している固定部材４４と、上面が固定部材４４の下面と接しているとともに、固定部材４４の傾斜方向と同方向に傾斜し、下部が左右方向に移動可能にハウジング３４の上部に取付けられている移動部材４６と、ボルトのねじこみにより移動部材４６を傾斜方向に移動可能な調整ボルト４８とから構成されている。本実施の形態では、固定部材４４と移動部材４６の傾斜方向が移動プレート１６の移動方向としているが、傾斜方向は高さ調整機構４２の取付け部位により決まるものであり、特に移動方向に限定するものではない。
【００１４】
次に、作用について説明する。調整ボルト４８をねじこんで回転させると移動部材４６が傾斜方向に移動し、移動部材４６の上面と固定部材４４の下面との接する左右方向の位置が変化する。これにより、固定部材４４は移動プレート１６と一体に昇降するので、前後の高さ調整機構４２を調整することにより、移動プレート１６の中心とシリンダ３２の軸心との高さ位置を一致させることができる。
【００１５】
なお、上記実施の形態においては、高さ調整機構４２は移動プレート１６の左右中心の移動方向前後に２カ所に設けたが、これに限るものではなく、移動プレート１６の大きさや形状に応じて左右の２カ所や前後左右の４カ所（この場合、レール３６は移動プレート１６左右に２ヶ所設けられている）又は必要に応じてそれ以上に設けてもよい。これにより、移動プレート１６の前後倒れ、左右の高さのずれを防止し、安定に保持することができる。
【００１６】
また、上記実施の形態においては、リニアガイド３８と高さ調整機構４２とは別部材のものであるが、これに限るものではなく、リニアガイド３８自体に高さ調整機構が設けられているものを用いてもよい。
【００１７】
【発明の効果】
以上説明したように、本発明のうち請求項１記載の発明は、リニアガイド（３８）により移動プレート（１６）の下部を支えるようにしたので、移動プレート（１６）の移動中も移動プレート（１６）や回転駆動手段（１２、１４）の自重による移動プレート（１６）のたわみが防止されて、移動プレート（１６）の中心がシリンダ（３２）の軸心との同心を維持した状態で直線運動を行うことができる。
【００１８】
また、移動プレート（１６）が機械芯との同心を維持した状態で直線運動ができることにより、射出スクリュ軸（１０）やボールネジナット（２２）も偏心しないため、射出スクリュ軸（１０）によるシリンダ内面のかじりやボールネジナット（２２）及びボールネジ軸（２０）の寿命低下を防止できる。
【００１９】
さらには、移動プレート（１６）の下方への芯ずれが防止されることにより、移動プレート（１６）の自重によるタイバー（１８）への曲げ荷重が低減される。
【００２０】
高さ調整機構（４２）で移動プレート（１６）の高さ位置を調整することにより、移動プレート（１６）の中心とシリンダ（３２）との軸心をより精密に一致させることができる。
【００２１】
また、調整手段（４８）により移動部材（４６）の位置が移動し、移動部材（４６）の傾斜角度を有する上面と固定部材（４４）の傾斜角度を有する下面との当接する位置が変化することにより、固定部材（４４）は移動プレート（１６）と一体に昇降するので、移動プレート（１６）の中心とシリンダ（３２）の軸心との高さ位置を一致させることができ、移動プレート（１６）の芯ずれを防止することができる。
【００２２】
また、本発明のうちで請求項２記載の発明は、移動プレート（１６）が大きくて１つのリニアガイド（３８）のハウジング（３４）と高さ調整機構（４２）では支えられないような場合、例えば、移動プレート（１６）の前後又は左右の２カ所や、前後左右の４カ所又はそれ以上リニアガイド（３８）のハウジング（３４）と高さ調整機構（４２）を取付けることにより、移動プレート（１６）の高さ位置を様々な角度から調整することができるため、移動プレート（１６）の前後倒れ又は左右の高さのずれを防止し、安定に保持することができる。
【図面の簡単な説明】
【図１】第１の実施の形態の射出成形機の射出装置の一部を示す側面図である。
【図２】第２の実施の形態の射出成形機の射出装置の一部を示す側面図である。
【図３】従来の射出成形機の射出装置を示す側面図である。
【図４】図３のＡ部分の拡大断面図である。
【符号の説明】
１０  射出スクリュ軸
１２  モータ
１４  ベルトプーリ
１６  移動プレート
１８  タイバー
２０  ボールネジ軸
２２  ボールネジナット
３４  ハウジング
３６  レール
３８  リニアガイド
４４  固定部材
４６  移動部材
４８  調整手段
【図１】
0003980806.tif 000002
【図２】
0003980806.tif 000003
【図３】
0003980806.tif 000004
【図４】
0003980806.tif 000005